(57)【要約】【課題】携帯端末の電波が届かないような場所で操作を行ってもその操作が無駄とならず使い勝手が向上し、しかもシステムを簡素化できる携帯端末、録画予約システム及び録画装置を提供すること。【解決手段】携帯端末１００は、録画予約情報を入力でき、入力された録画予約情報は録画情報保存部に保存され、この保存された前記録画予約情報を送信する。録画装置４００は、前記携帯端末１００と網を介して通信して、携帯端末１００から送信された前記録画予約情報を録画予約保存部に保存することにより録画予約が行われる。【選択図】      図１
2004289474.tif 000002
【特許請求の範囲】
【請求項１】
録画予約情報を入力する予約入力手段と、
前記録画予約情報を保存する録画情報保存手段と、
無線により通信網と通信を行う通信手段と、
前記通信手段による通信網との無線接続可能かを判定する判定手段とを具備し、
前記判定手段により無線接続可能と判断されると、前記通信手段は、前記録画情報保存手段に保存した前記録画予約情報を通信網に送信することを特徴とする携帯端末。
【請求項２】
前記携帯端末は、
ジャンル情報を記憶するジャンル保存手段と、
前記通信手段により網から番組表を入手する番組表入手手段と、
前記予約入力手段による入力が指示されると、前記番組表を前記ジャンル保存手段に記憶したジャンル情報に基づいた表示形式に変更して表示を行う番組表表示手段と
をさらに具備することを特徴とする請求項１に記載の携帯端末。
【請求項３】
録画予約情報を入力する入力手段と、
前記録画予約情報を保存する録画情報保存手段と、
通信網との無線接続可能かを判定する判定手段と、
前記判定手段により無線接続可能と判断されると、前記録画予約情報を無線により通信網に送信する第１の通信手段とを具備する携帯端末と、
前記携帯端末と通信網を介して通信し、前記録画予約情報を取得する第２の通信手段と、
前記第２の通信手段により取得した前記録画予約情報を保存する録画予約保存手段と、
前記録画予約保存手段を参照し、前記録画予約情報に応じた録画を行う録画手段とを具備する録画装置と
で構成されることを特徴とする録画予約システム。
【請求項４】
前記録画予約システムは、所定期間が経過する、あるいは前記入力手段の操作により、前記第１および第２の通信手段を起動し、前記録画情報保存手段と前記録画予約保存手段とで同期をとることを特徴とする請求項３に記載の録画予約システム。
【請求項５】
前記録画装置は、録画予約保存手段に録画予約情報を保存した際、メールを生成すると共に第２の通信手段を起動し、通信網を介して前記携帯端末に送信する手段を有することを特徴とする請求項３または４に記載の録画予約システム。
【請求項６】
前記録画予約システムは、前記携帯端末が前記入力手段による前記録画情報保存手段からの所定の録画予約情報の削除を検出すると、前記携帯端末および録画装置が前記第１および第２の通信手段を起動して録画情報保存手段と録画予約保存手段との同期をとり、該録画予約保存手段からも前記所定の録画予約情報を削除する手段を有することを特徴とする請求項３から５のいずれかに記載の録画予約システム。
【請求項７】
通信網を介して録画予約情報を取得する通信手段と、
前記通信手段により取得した前記録画予約情報を保存する録画予約保存手段と、
前記録画予約保存手段を参照し、前記録画予約情報に応じた録画を行う録画手段と、
前記録画予約保存手段に前記録画予約情報を保存した際、メールを生成すると共に前記通信手段を起動し、通信網に送信する手段を有することを特徴とする録画装置。
【発明の詳細な説明】
【０００１】
【発明の属する技術分野】
本発明は、録画装置の録画予約を行う携帯端末及びその携帯端末を使用した録画予約システムに関し、さらには録画装置に関する。
【０００２】
【従来の技術】
【特許文献１】
特開平８−１８０５０５号公報
【０００３】
従来、電話回線を使用した録画予約システムとしては、特許文献１に開示されるものがある。電話回線に遠隔録画装置を介し、ビデオデッキが接続されており、電話機を用いて電話回線を介して遠隔録画装置を呼び出す。遠隔録画装置は電話機との間で認証をとった上でＤＴＭＦにより電話機から入力された予約コードを記憶する。その後、ビデオデッキに対し、予約コードを用いて録画予約を行うものである。
【０００４】
また、他の録画予約システムとしては、サーバから無線通信網を介して携帯電話が番組表を取得し、その番組表から携帯電話で録画の予約設定を行うと、その予約設定の要求が無線通信網を介してサーバに送られ、サーバに保存されるので、ユーザＰＣまたはビデオ機器からなる録画装置は、前記サーバと通信して、前記サーバから前記予約設定の要求を取得するというものも考えられている。
【０００５】
【発明が解決しようとする課題】
しかしながら、上記のような従来の録画予約システムでは、携帯電話で録画の予約設定を行うと、その予約設定の要求が無線通信網を介してサーバに送られ、サーバに保存されるものあるいは直接リアルタイムに通信を行うものであるため、携帯電話の電波が無線通信網に届かないような場所では、携帯電話で録画の予約設定を行っても、通信自体を行うことができないため、予約設定の要求がサーバに保存されず、ひいては録画装置に伝達されず、番組表を取得することができないために予約が行えず予約設定が無駄となり、電波の届く場所で操作しなおす必要があり、使い勝手が悪かった。また、携帯電話と録画装置の間にサーバが介在されるので、システムが複雑になるという問題点があった。
【０００６】
本発明は上記の点に鑑みなされたもので、携帯端末の電波が届かないような場所で操作を行ってもその操作が無駄とならず使い勝手が向上し、しかもシステムを簡素化できる携帯端末、録画予約システム及び録画装置を提供することを目的とする。
【０００７】
【課題を解決するための手段】
本発明の携帯端末は、録画予約情報を入力する予約入力手段と、前記録画予約情報を保存する録画情報保存手段と、無線により通信網と通信を行う通信手段と、前記通信手段による通信網との無線接続可能かを判定する判定手段と、前記判定手段により無線接続可能と判断されると、前記通信手段は、前記録画情報保存手段に保存した前記録画予約情報を通信網に送信することを特徴とする。
【０００８】
好ましい形態として前記携帯端末は、ジャンル情報を記憶するジャンル保存手段と、前記通信手段により網から番組表を入手する番組表入手手段と、前記予約入力手段による入力が指示されると、前記番組表を前記ジャンル保存手段に記憶したジャンル情報に基づいた表示形式に変更して表示を行う番組表表示手段とをさらに具備する。
【０００９】
本発明の録画予約システムは、録画予約情報を入力する入力手段と、前記録画予約情報を保存する録画情報保存手段と、通信網との無線接続可能かを判定する判定手段と、前記判定手段により無線接続可能と判断されると、前記録画予約情報を無線により通信網に送信する第１の通信手段とを具備する携帯端末と、前記携帯端末と通信網を介して通信し、前記録画予約情報を取得する第２の通信手段と、前記第２の通信手段により取得した前記録画予約情報を保存する録画予約保存手段と、前記録画予約保存手段を参照し、前記録画予約情報に応じた録画を行う録画手段とを具備する録画装置とで構成される。
【００１０】
好ましい形態として前記録画予約システムは、所定期間が経過する、あるいは前記入力手段の操作により、前記第１および第２の通信手段を起動し、前記録画情報保存手段と前記録画予約保存手段との同期をとる手段を有する。また、前記録画装置は、録画予約保存手段に録画予約情報を保存した際、メールを生成すると共に第２の通信手段を起動し、通信網を介してで前記携帯端末に送信する手段を有する。さらに、前記録画予約システムは、前記携帯端末が前記入力手段による前記録画情報保存手段からの所定の録画予約情報の削除を検出すると、前記携帯端末および録画装置が前記第１および第２の通信手段を起動して録画情報保存手段と録画予約保存手段との同期をとり、該録画予約保存手段からも前記所定の録画予約情報を削除する手段を有する。
【００１１】
本発明の録画装置は、通信網を介して録画予約情報を取得する通信手段と、前記通信手段により取得した前記録画予約情報を保存する録画予約保存手段と、前記録画予約保存手段を参照し、前記録画予約情報に応じた録画を行う録画手段と、前記録画予約保存手段に前記録画予約情報を保存した際、メールを生成すると共に前記通信手段を起動し、通信網に送信する手段を有する。
【００１２】
【発明の実施の形態】
次に添付図面を参照して本発明による携帯端末、録画予約システム及び録画装置の実施の形態を詳細に説明する。図１は録画予約システムの全体構成を示す図である。この録画予約システムは、携帯端末１００と、基地局２００と、通信ネットワーク３００と、録画装置４００とからなり、携帯端末１００と録画装置４００は、基地局２００および通信ネットワーク３００からなる網を介して直接通信する。したがって、録画装置４００は、テレビの受信機能、録画機能の外に、通信機能を有する。
【００１３】
図２に携帯端末１００の構成を示す。携帯端末１００は、送受信部１０１、表示部１０２、同期処理部１０３、制御部１０４、録画情報保存部１０５、番組ソート部１０６、ジャンル保存部１０７、操作部１０８、およびアンテナ１０９から構成される。送受信部１０１は、アンテナ１０９に接続されて基地局２００との無線通信を行う。操作部１０８は、電話番号や録画予約情報、メールなどの各種情報を入力し、かつ各種の設定を行う。表示部１０２は、入力情報、受信情報、各種の設定状態など、各種の情報を表示する。制御部１０４は、この携帯端末１００の全体を制御する。録画情報保存部１０５は、自機（携帯端末１００）で入力した録画予約情報を保存する。同期処理部１０３は、録画情報保存部１０５と、録画装置４００の録画予約保存部との同期をとる。番組ソート部１０６は、Ｗｅｂ番組表などから取得した番組表をジャンル保存部１０７に保存されているジャンルについてソートする。ジャンル保存部１０７は、ユーザの好みのジャンル（音楽、スポーツ、ドラマなど）を保存する。なお、このジャンルについては、あらかじめ番組表上で各番組ごとに付加されており、同様のジャンルについてをジャンル保存部１０７に保存することとなる。
【００１４】
図３に録画装置４００の構成を示す。録画装置４００は、送受信部４０１、制御部４０２、録画予約保存部４０３、同期処理部４０４、録画部４０５、および操作部４０６からなる。送受信部４０１は、テレビの受信機と、通信ネットワーク３００および基地局２００を介して携帯端末１００と通信するテレマティクス等の無線通信機や公衆回線に接続されたモデムにより構成される。制御部４０２は、この録画装置４００の全体を制御する。録画予約保存部４０３は、録画予約情報を保存する。同期処理部４０４は、録画予約保存部４０３と、携帯端末１００の録画情報保存部１０５とで互いに更新日時等をやりとりして同期をとる。録画部４０５は、ハードディスクなどからなり、予約された番組を録画する。操作部４０６は、この録画装置４００自体で録画予約情報を入力したり、各種の設定を行う。
【００１５】
図４に、携帯端末１００の録画情報保存部１０５および録画装置４００の録画予約保存部４０３に保存される録画予約情報を示す。録画予約は予約された順に番号が振られ、各予約に対し予約タイトル、開始時刻、終了時刻、チャンネル、画質、録画回数の項目があり、各項目に、対応する録画予約情報が保存される。画質には高画質、標準、低画質などの選択項目がある。録画回数には１回、毎週、平日などの選択項目がある。画質、録画回数の項目はユーザが編集、追加、削除できる。なお、図２、図３とも、特に図示していないが、共に時計を内蔵しており、全ての日時が、この時計を基に計算され、用いられていることは言うまでもない。
【００１６】
以上のような本発明に係る携帯端末、録画予約システム及び録画装置においては、図５のフローチャートに示すようにして、携帯端末１００から録画装置４００に対して録画予約を行うことができる。図５のフローチャートには、制御部１０４と制御部４０２における方法１と方法２の２通りの録画予約に関する処理が示される。各処理を説明すると次の通りである。
【００１７】
方法１
（１）ユーザが新聞紙などの番組表を見ながら携帯端末１００の操作部１０８を操作して携帯端末１００に録画予約情報（開始／終了時およびチャンネル番号）を書込む（ステップＳ１０）。このとき、携帯端末１００の表示部１０２に図４に示したような予約番号および各項目がスケジュール帳の形で表示されるから、そのスケジュール帳の各項目部分に、対応する録画予約情報を書込むような要領で録画予約情報の書込みを行う。
（２）操作部１０８で録画予約操作が行われると、書込まれた録画予約情報が携帯端末１００の録画情報保存部１０５に保存される（ステップＳ１４）。
（３）携帯端末１００と録画装置４００とが基地局２００および通信ネットワーク３００を介して通信可能な場合（圏内）と判定された際、通信を行い、携帯端末１００の録画情報保存部１０５と録画装置４００の録画予約保存部４０３との同期をとり、携帯端末１００の録画情報保存部１０５に保存された録画予約情報を録画装置４００の録画予約保存部４０３に記憶させる（ステップＳ１５）。このとき、録画装置４００で直接入力した録画予約情報が録画装置４００の録画予約保存部４０３に保存されていれば、その録画予約情報は、携帯端末１００側と同期をとってもそのまま録画装置４００の録画予約保存部４０３に残る。
また、通信の不可能な状態と判定されている時は、同期をとる動作を行わず、通信可能な判定を待つ。
（４）録画装置４００の録画予約保存部４０３に追加された、携帯端末１００からの録画予約情報による録画予約が本当に予約可能なのかチェックする。すなわち、予約時間が重複しないか（ステップＳ１６）、あるいは録画装置４００の録画部４０５の記憶媒体に空き容量があるのか（ステップＳ１７）、などを録画装置４００でチェックする。そして、もし予約ができない場合は、その旨を、録画装置４００から携帯端末１００（ユーザ）にメールで通知する（ステップＳ１８）。
（５）一方、携帯端末１００側から追加された録画予約が録画装置４００で可能ならば、その録画予約情報を録画装置４００の録画予約保存部４０３に保存して録画予約する（ステップＳ１９）。
（６）録画予約が完了すると、その旨を、録画装置４００から携帯端末１００（ユーザ）にメールで通知する（ステップＳ２０）。
【００１８】
方法２
（１）携帯端末１００の操作部１０８を操作して、携帯端末１００から通信ネットワーク３００に接続されたサーバ（図示しない）に定期的にアップロードされるＷｅｂ番組表にアクセスする（ステップＳ１１）。
（２）携帯端末１００で入手したＷｅｂ番組表を、ジャンル保存部１０７に登録されているユーザの好みに合ったジャンルに基づいて番組ソート部１０６でソートする（ステップＳ１２）。この操作は、携帯端末１００の設定によりスキップすることができる。ただし、ここでは、ソートを行っている。ソートは、ジャンル保存部１０７に登録されているユーザの好みに合ったジャンルに基づいたカスタマイズ法の１つであり、他のカスタマイズ法でもよい。
（３）カスタマイズされた番組表（表示部１０２に表示される）には、各番組毎に開始／終了の日時、チャンネル番号といった録画予約情報やタイトル等が含まれると共に、予約ボタン（チェックボックス）が付いている。したがって、録画予約する番組の予約ボタンを選択し、確定キーを押下することにより、録画予約する番組を選択する（ステップＳ１３）。ここで、表示部１０２に表示された番組表がカスタマイズされていない場合は、録画予約する番組上にカーソルを当てて、確定キーを押下することにより、録画予約する番組を選択できる。
（４）録画予約する番組を選択すると、その番組に関する録画予約情報が携帯端末１００の録画情報保存部１０５に保存される（ステップＳ１４）。
（５）以下方法１の（３）以下（ステップＳ１５以下）と同様。
【００１９】
なお、上記のように、携帯端末１００の録画情報保存部１０５と録画装置４００の録画予約保存部４０３との間で同期をとるが、この同期は定期的に、あるいは携帯端末１００で同期キーを押下することにより、とることができる。同期には、携帯端末１００の録画情報保存部１０５と録画装置４００の録画予約保存部４０３の最終更新時間を利用する。ここで更新時間とは、録画情報保存部１０５と録画予約保存部４０３において、録画予約情報の保存および削除といった動作が行われるごとに、それぞれ更新記憶される日時である。更新時間が一致している場合は同期がとれているとみなし、録画予約情報のやり取りは行わない。更新時間が携帯端末１００側が新しい場合は携帯端末１００側で録画予約情報が更新されているとみなし、携帯端末１００側の録画予約情報を録画装置４００に送り、録画装置４００の録画予約保存部４０３に反映させる。
また、録画装置４００側が新しい場合は、録画装置４００側で録画予約情報が更新されているとみなし、録画装置４００側の録画予約情報を携帯端末１００に送り、携帯端末１００の録画情報保存部１０５に反映させる。
【００２０】
上記の携帯端末、録画予約システム及び録画装置によれば、携帯端末１００から録画予約の確認、携帯端末１００から録画予約の取消しをさらに行うことができる。
【００２１】
携帯端末１００から録画予約の確認を行う場合は、携帯端末１００の操作部１０８の同期キーを押下して、まず携帯端末１００の録画情報保存部１０５と録画装置４００の録画予約保存部４０３との同期をとる。この操作はスキップできる。次に、携帯端末１００の操作部１０８を操作して録画情報保存部１０５に保存されている録画予約情報を読出し、表示部１０２に表示させる。これにより、表示部１０２に表示された録画予約情報一覧より、録画装置４００の録画予約状態を確認できる。
【００２２】
携帯端末１００から録画装置４００の録画予約の取消しを行う場合は、携帯端末１００の操作部１０８を操作して、携帯端末１００の録画情報保存部１０５内から、取消したい録画予約情報を削除する。これは、録画情報保存部１０５内に保存されている録画予約情報一覧を表示部１０２に表示させ、それを見ながら行うことができる。次に、携帯端末１００の操作部１０８の同期キーを操作して、携帯端末１００の録画情報保存部１０５と録画装置４００の録画予約保存部４０３との同期をとる。すると、録画装置４００の録画予約保存部４０３内からも、携帯端末１００で削除した録画予約情報が削除され、録画装置４００での録画予約の取消しが完了する。録画予約の取消しが完了すると、録画装置４００は、その旨をメールで携帯端末１００に通知する。
【００２３】
その他の例として、携帯端末１００は、録画情報保存部１０５にある開始時刻の前になると、その開始時刻に対応する録画予約が録画予約保存部４０３に登録されているか録画装置４００にメールで問い合わせることができる。また、録画装置４００は、録画開始時もしくは開始１０分前等に、“録画開始”のメールを携帯端末１００に送信する。携帯端末１００は、録画装置４００に対して、録画装置４００の状態をメールで問い合わせることもでき録画装置４００は、自機の状態（例えば、録画中）を携帯端末１００にメールで返信する。
なお、上述したような録画装置４００におけるメールの送信については、あらかじめ複数の電子メールのフォームを持っておき、発生した事象に応じたフォームを選択し、必要に応じて録画予約情報を添付して、通信ネットワークに携帯端末のメールアドレスを指定し、送信することは言うまでもない。
【００２４】
以上より分かるように、上記の携帯端末、録画予約システム及び録画装置によれば、携帯端末１００で入力された録画予約情報は携帯端末１００の録画情報保存部１０５に保存される。したがって、携帯端末１００の電波が基地局２００に届かない場所では携帯端末１００で録画予約情報の入力のみを行い、電波の届く場所で携帯端末１００から録画装置４００に録画予約情報を送信するといった使い方ができ、電波が届かない場所で録画予約情報の入力を行っても、その操作が無駄とならないので、使い勝手が向上する。また、携帯端末１００と録画装置４００は直接通信し、間に録画予約情報保存のためにサーバを置く必要がないので、システムが簡素化される。さらに、携帯端末１００の録画情報保存部１０５と録画装置４００の録画予約保存部４０３の同期をとることにより、携帯端末１００側の録画予約情報と録画装置４００側の録画予約情報との間の整合性を維持できる。さらに、方法２のように、録画予約を行う際、Ｗｅｂなどから入手した番組表をユーザが登録したジャンルでカスタマイズして番組表を表示部１０２に表示させることにより、録画予約が非常に容易になる。
【００２５】
【発明の効果】
以上詳細に説明したように本発明の携帯端末、録画予約システム及び録画装置によれば、使い勝手が向上し、しかもシステムを簡素化できる。
【図面の簡単な説明】
【図１】本発明による録画予約システムの実施の形態を示す図。
【図２】図１のシステムで使用される携帯端末の構成を示すブロック図。
【図３】図１のシステムで使用される録画装置の構成を示すブロック図
【図４】図２の携帯端末の録画情報保存部および図３の録画装置の録画予約保存部に保存される録画予約情報の内容を示す図。
【図５】本発明の実施の形態の動作を示すフローチャート。
【符号の説明】
１００  携帯端末
２００  基地局
３００  通信ネットワーク
４００  録画装置
１０３  同期処理部
１０５  録画情報保存部
１０６  番組ソート部
１０７  ジャンル保存部
４０３  録画予約保存部
４０４  同期処理部
【図１】
2004289474.tif 000003
【図２】
2004289474.tif 000004
【図３】
2004289474.tif 000005
【図４】
2004289474.tif 000006
【図５】
2004289474.tif 000007